(57)【要約】【課題】ネットワークの遅延量に応じて音声の圧縮率を自動的に変更することができる構内交換機および構内交換機サーバを提供することを目的とする。【解決手段】ネットワークに接続可能なＩＰ−ＰＢＸ１０１であって、ネットワークの遅延を測定する遅延観測部１０６と、端末毎に送信の優先度を設定した優先テーブルを格納した記憶部１０８と、全体を制御する制御部１０９とを有し、制御部１０９は、遅延観測部１０６で測定したネットワークの遅延量が所定の遅延量を越えた場合、優先度に応じて音声の圧縮率を変更し、優先度の高い端末からの音声データ等のデータは低い圧縮率で送信し、優先度の低い端末からの音声データ等のデータは高い圧縮率で送信する。【選択図】　図１
2004007317.tif 000002
【特許請求の範囲】
【請求項１】
ネットワークに接続可能な構内交換機であって、前記ネットワークの遅延を測定する遅延観測部と、端末毎に送信の優先度を設定した優先テーブルを格納した記憶部と、全体を制御する制御部とを有し、
前記制御部は、前記遅延観測部で測定した前記ネットワークの遅延量が所定の遅延量を越えた場合には前記優先度に応じて音声の圧縮率を変更することを特徴とする構内交換機。
【請求項２】
請求項１に記載された構内交換機の複数と共にネットワークに接続された構内交換機サーバであって、
前記ネットワークの遅延量を検出する遅延観測部と、前記検出した遅延量に基づいて前記複数の構内交換機を管理する制御部とを有することを特徴とする構内交換機サーバ。
【発明の詳細な説明】
【０００１】
【発明の属する技術分野】
本発明は、ネットワークに接続可能な構内交換機（ＩＰ−ＰＢＸ）および構内交換機サーバに関するものである。
【０００２】
【従来の技術】
図７は従来のＩＰ−ＰＢＸを示すブロック図である。
【０００３】
図７において、７０１はＩＰ−ＰＢＸ、７０２ａ、７０２ｂ、・・・、７０２ｘは電話機やＦＡＸ、ＰＣなどの端末（以下、総称的には「端末７０２」という）、７０３は端末７０２を接続する端末インタフェース部（端末Ｉ／Ｆ部）、７０４は音声信号やデータの圧縮や、ダイヤルトーン検出、ＦＡＸ処理、ネットワークに対して送信可能なフォーマットへの変換を行うデータ・音声処理部、７０５はネットワークとの送受信を行うネットワークインタフェース部（ネットワークＩ／Ｆ部）、７０６はデータ・音声処理部７０４とネットワークインタフェース部７０５と端末インタフェース部７０３に対してタイミングを供給するタイミング生成部、７０７は音声データやＩＰ−ＰＢＸ７０１が動作するプログラムを保存しておく記憶部、７０８は端末インタフェース部７０３とデータ・音声処理部７０４とネットワークインタフェース部７０５とタイミング生成部７０６と記憶部７０７とを制御する制御部である。
【０００４】
このように構成されたＩＰ−ＰＢＸについて、その動作を説明する。
【０００５】
図７において、端末７０２から入力された音声データは、データ・音声処理部７０４において予め設定されている音声圧縮率で圧縮され、ネットワークに送信可能な状態に変換される。そして、ネットワークに送信可能な音声データは、記憶部７０７に一時的に保存され、制御部７０８にてシグナリングやゲートウェイ処理などがなされた後、ネットワークインタフェース部７０５からネットワークに送信される。
【０００６】
【発明が解決しようとする課題】
しかしながら、従来のＩＰ−ＰＢＸでは、ネットワークの遅延量に拘らず同じ圧縮率で送信しているため、ネットワークに大きな遅延量が生じている場合、音声データを低圧縮（高品質）に設定しているＩＰ−ＰＢＸのデータは、遅延、ロスなどの障害が起こりやすいという問題点があった。
【０００７】
この構内交換機および構内交換機管理システムでは、ネットワークの遅延量に応じて音声の圧縮率を自動的に変更してネットワークに送信する音声データ量を調節するために、端末毎に優先度を与え、優先度の高い端末からの音声の場合には低い圧縮率で高品質の音声を送信し、優先度の低い端末からの音声の場合には高い圧縮率で低品質の音声を送信することが要求されている。
【０００８】
本発明は、この要求を満たすため、ネットワークの遅延量に応じて音声の圧縮率を自動的に変更することができる構内交換機、および、ネットワークの遅延量に応じて音声の圧縮率を自動的に変更することを複数の構内交換機に対して行うことができる構内交換機サーバを提供することを目的とする。
【０００９】
【課題を解決するための手段】
上記課題を解決するために本発明の構内交換機は、ネットワークに接続可能な構内交換機であって、ネットワークの遅延を測定する遅延観測部と、端末毎に送信の優先度を設定した優先テーブルを格納した記憶部と、全体を制御する制御部とを有し、制御部は、遅延観測部で測定したネットワークの遅延量が所定の遅延量を越えた場合、優先度に応じて音声の圧縮率を変更し、優先度の高い端末からの音声データ等のデータは低い圧縮率で送信し、優先度の低い端末からの音声データ等のデータは高い圧縮率で送信する構成を備えている。
【００１０】
これにより、ネットワークの遅延量に応じて音声の圧縮率を自動的に変更することができる構内交換機が得られる。
【００１１】
上記課題を解決するために本発明の構内交換機サーバは、請求項１に記載された構内交換機の複数と共にネットワークに接続された構内交換機サーバであって、ネットワークの遅延量を検出する遅延観測部と、検出した遅延量に基づいて複数の構内交換機を管理する制御部とを有する構成を備えている。
【００１２】
これにより、ネットワークの遅延量に応じて音声の圧縮率を自動的に変更することを複数の構内交換機に対して行うことができる構内交換機サーバが得られる。
【００１３】
【発明の実施の形態】
本発明の請求項１に記載の構内交換機は、ネットワークに接続可能な構内交換機であって、ネットワークの遅延を測定する遅延観測部と、端末毎に送信の優先度を設定した優先テーブルを格納した記憶部と、全体を制御する制御部とを有し、制御部は、遅延観測部で測定したネットワークの遅延量が所定の遅延量を越えた場合には優先度に応じて音声の圧縮率を変更することとしたものである。
【００１４】
この構成により、ネットワークに送信する音声データ量を優先度に応じて自動的に変更することができるので、優先度の高い端末からの音声の場合には低い圧縮率で高品質の音声データを送信し、優先度の低い端末からの音声の場合には高い圧縮率で低品質の音声データを送信することができ、ネットワークに大きな遅延量が発生した場合でも、優先度の高い端末からの音声の品質を維持することができるという作用を有する。
【００１５】
請求項２に記載の構内交換機管理システムは、請求項１に記載された構内交換機の複数と共にネットワークに接続された構内交換機サーバであって、ネットワークの遅延量を検出する遅延観測部と、検出した遅延量に基づいて複数の構内交換機を管理する制御部とを有することとしたものである。
【００１６】
この構成により、ネットワークの遅延量に応じて各構内交換機の圧縮率を一括して管理することができるので、ネットワーク上を伝送する音声データ量を全体として効率的なものに設定することができるという作用を有する。
【００１７】
以下、本発明の実施の形態について、図１〜図６を用いて説明する。
【００１８】
（実施の形態１）
図１は本発明の実施の形態１による構内交換機を示すブロック図である。
【００１９】
図１において、１０１は音声圧縮の切替可能なＩＰ−ＰＢＸ、１０２ａ、１０２ｂ、・・・、１０２ｘは音声やデータの端末（以下、総称的には「端末１０２」と記載する）、１０３は端末１０２を収容可能な端末インタフェース部（端末Ｉ／Ｆ部）、１０４は音声処理、データ処理、ＦＡＸ処理、ダイヤルトーン検出、モデム音検出、音声／ＦＡＸデータのパケット化およびそれらに関連した処理を行うデータ・音声処理部、１０５はＰＳＴＮ，ＩＳＤＮ，ｘＤＳＬ，ＬＡＮなどのネットワークに接続を行うネットワークインタフェース部（ネットワークＩ／Ｆ部）、１０６はネットワークインタフェース部１０５を通じてネットワークの遅延を観測する遅延観測部、１０７は端末インタフェース部１０３とデータ・音声処理部１０４とネットワークインタフェース部１０５とに対してタイミングを生成するタイミング生成部、１０８はネットワークとの送受信を行う音声データを一時的に保管し、接続ポート毎の優先度と圧縮率を対にした端末優先度設定テーブルとＩＰ−ＰＢＸ１０１が動作するためのプログラムとを収容した記憶部、１０９は端末インタフェース部１０３とデータ・音声処理部１０４とネットワークインタフェース部１０５と遅延観測部１０６とタイミング生成部１０７と記憶部１０８とを制御する制御部、１１０は内部バスである。
【００２０】
このように構成されたＩＰ−ＰＢＸ１０１について、概略動作を説明すると、端末インタフェース部１０３から入力された音声やデータは、記憶部１０８に保存されている端末優先度設定テーブルから接続ポート毎に（つまり端末毎に）圧縮率が決められ、データ・音声処理部１０４においてその圧縮率で圧縮される。圧縮された音声データは、制御部１０９によって、シグナリングやゲートウェイ処理、送信先のネットワークに応じた処理をなされた後、ネットワークインタフェース部１０５を通じて送信される。
【００２１】
次に、図２、図３を用いて端末１０２に対する優先度の設定方法について説明する。図２はモード設定テーブルを示すテーブル図であり、図３は端末優先度設定テーブルを示すテーブル図である。
【００２２】
図２、図３に示すように、記憶部１０８には予め、端末の優先度と、音声データの圧縮率の切り換えを行うかどうかの判別を行う遅延閾値τと、その遅延閾値τに応じてＩＰ−ＰＢＸ１０１の動作を定めたモード設定テーブルと、ＩＰ−ＰＢＸ１０１の動作および端末毎の音声データの圧縮率を設定した端末優先度設定テーブルとが保存されている。遅延観測部１０６において測定された遅延実測値ｔが上記遅延閾値τより小さい場合、ＩＰ−ＰＢＸ１０１は、図２のモード設定テーブルからノーマルモードとなり、ＩＰ−ＰＢＸ１０１に接続された全端末は端末優先度設定テーブルにあるノーマルモードの圧縮率で音声データの圧縮を行う（本実施の形態では、全端末圧縮率Ｂに設定）。遅延観測部１０６において観測された遅延実測値ｔが遅延閾値τ以上の場合、ＩＰ−ＰＢＸ１０１は、モード設定テーブルから優先圧縮モードに移行する。優先圧縮モードに移行したＩＰ−ＰＢＸ１０１は、図３の端末優先度設定テーブルにしたがって、端末１０２毎に圧縮率を変更する。優先度が高い端末ほど低圧縮率（高品質）で音声データは圧縮され、優先度が低い端末は高圧縮率（低品質）で圧縮される。
【００２３】
次に、図４を用いてデータ・音声処理部１０４の動作について説明する。図４はデータ・音声処理部１０４を示すブロック図である。
【００２４】
図４において、４０１は端末の優先度に応じて音声の圧縮率を切替える圧縮セレクタ部、４０２は音声パケットの処理を行う音声パケット処理部、４０３は音声を或る圧縮率で圧縮する音声圧縮部、４０４はトーンを検出するトーン検出部、４０５はエコーをキャンセルするエコーキャンセル部、４０６はゲインをコントロールするゲインコントロール部、４０７はＦＡＸ通信を行うためのＦＡＸ処理部、４０８は端末インタフェース部１０３と接続された音声・データ送受信インタフェース部である。
【００２５】
図４で、音声処理、ＦＡＸ処理、ダイヤルトーン検出、モデム音検出、音声／ＦＡＸデータのパケット化、データの伸張、圧縮やそれらに関連した処理を行うデータ・音声処理部１０４において、新たに圧縮セレクタ部４０１を設け、遅延観測部１０６における遅延実測値が遅延閾値τより小さい場合、モード設定テーブルと端末優先度設定テーブルにより、全端末１０２に対してノーマルモードの音声圧縮を行うために、本実施の形態では圧縮率Ｂのモジュールに対して音声データのパスを設定する。また、ネットワークに大きな遅延が発生し、遅延実測値が遅延閾値τ以上となった場合、ＩＰ−ＰＢＸ１０１は優先圧縮モードに移行し、端末優先度設定テーブルに基づいて設定された端末毎の優先度に応じて、各端末１０２と音声圧縮モジュールとのパスが圧縮セレクタ部４０１によって切り換えられる。したがって、端末インタフェース部１０３から送られてきた各端末の音声データは、優先度に応じた圧縮率によって圧縮され、ネットワーク側に送信される。
【００２６】
以上のように本実施の形態によれば、ネットワークの遅延を測定する遅延観測部１０６と、端末毎に送信の優先度を設定した優先テーブルを格納した記憶部１０８と、全体を制御する制御部１０９とを有し、制御部１０９は、遅延観測部１０６で測定したネットワークの遅延量が所定の遅延量を越えた場合には優先度に応じて音声の圧縮率を変更することにより、ネットワークに送信する音声データ量を優先度に応じて自動的に変更することができるので、優先度の高い端末からの音声の場合には低い圧縮率で高品質の音声データを送信し、優先度の低い端末からの音声の場合には高い圧縮率で低品質の音声データを送信することができ、ネットワークに大きな遅延量が発生した場合でも、優先度の高い端末からの音声の品質を維持することができる。
【００２７】
（実施の形態２）
図５は、本発明の実施の形態２による構内交換機サーバと図１のＩＰ−ＰＢＸとを有する構内交換機システムを示すブロック図であり、ネットワーク５０１に接続されたＩＰ−ＰＢＸ１０１Ａ、１０１Ｂと、ＩＰ−ＰＢＸ１０１Ａ、１０１Ｂを監視し制御する構内交換機サーバ（ＩＰ−ＰＢＸサーバ）５０２との接続形態を示したものである。
【００２８】
図５において、５０３はＩＰ−ＰＢＸ１０１Ａ、１０１ＢとＩＰ−ＰＢＸサーバ５０２とが接続されたネットワーク５０１の遅延を観測し遅延量を検出する遅延観測部、５０４は記憶部、５０５は全体を制御する制御部、１−１〜１−３、２−１〜２−３は端末である。
【００２９】
図６はＩＰ−ＰＢＸ優先度設定テーブルを示すテーブル図である。記憶部５０４には、図６の各ＩＰ−ＰＢＸ１０１Ａ、１０１Ｂの遅延閾値τと、端末毎におけるノーマルモード時と優先圧縮モード時の音声圧縮率とを設定したＩＰ−ＰＢＸ優先度設定テーブルを設け、ＩＰ−ＰＢＸサーバ５０２が、ＩＰ−ＰＢＸ優先度設定テーブルの値を各ＩＰ−ＰＢＸ１０１Ａ、１０１Ｂの優先度設定テーブルに対して設定する。そのＩＰ−ＰＢＸ優先度設定テーブルの設定方法として、優先度の高いＩＰ−ＰＢＸ１０１Ａにおいては、遅延閾値τを大きく設定し、ノーマルモードにおける音声データの圧縮を低く（高品質に）設定する。優先圧縮モードに移行した場合には他のＩＰ−ＰＢＸ１０１Ｂに比べて比較的音声の圧縮率を低くすることで、他のＩＰ−ＰＢＸ１０１Ｂより良い音声品質が確保できる。また、優先度の低いＩＰ−ＰＢＸ１０１Ｂにおいてはノーマルモードにおける音声データの圧縮を高く（低品質に）設定し、優先圧縮モードにおける各端末の圧縮率も高く設定する。以上の設定をＩＰ−ＰＢＸサーバ５０２が遅延観測部５０３での検出遅延量と記憶部５０４格納のＩＰ−ＰＢＸ優先度設定テーブルとを使って、ネットワーク５０１に接続されたＩＰ−ＰＢＸ１０１Ａ、１０１Ｂの音声データを送信する量を一元管理することが可能となるので、ＩＰ−ＰＢＸサーバ５０２とＩＰ−ＰＢＸ１０１Ａ、１０１Ｂとを有する構内交換機システムにおいて、遅延に応じた効率的な送信をすることができる。
【００３０】
以上のように本実施の形態によれば、ネットワークの遅延量を検出する遅延観測部５０３と、検出した遅延量に基づいて複数のＩＰ−ＰＢＸ１０１Ａ、１０１Ｂを管理する制御部５０５とを有することにより、ネットワークの遅延量に応じて各構内交換機１０１Ａ、１０１Ｂの圧縮率を一括して管理することができるので、ネットワーク上を伝送する音声データ量を全体として効率的なものに設定することができる。
【００３１】
【発明の効果】
以上説明したように本発明の請求項１に記載の構内交換機によれば、ネットワークに接続可能な構内交換機であって、ネットワークの遅延を測定する遅延観測部と、端末毎に送信の優先度を設定した優先テーブルを格納した記憶部と、全体を制御する制御部とを有し、制御部は、遅延観測部で測定したネットワークの遅延量が所定の遅延量を越えた場合には優先度に応じて音声の圧縮率を変更することにより、ネットワークに送信する音声データ量を優先度に応じて自動的に変更することができるので、優先度の高い端末からの音声の場合には低い圧縮率で高品質の音声データを送信し、優先度の低い端末からの音声の場合には高い圧縮率で低品質の音声データを送信することができ、ネットワークに大きな遅延量が発生した場合でも、優先度の高い端末からの音声の品質を維持することができるという有利な効果が得られる。
【００３２】
請求項２に記載の構内交換機管理システムによれば、請求項１に記載された構内交換機の複数と共にネットワークに接続された構内交換機サーバであって、ネットワークの遅延量を検出する遅延観測部と、検出した遅延量に基づいて複数の構内交換機を管理する制御部とを有することにより、ネットワークの遅延量に応じて各構内交換機の圧縮率を一括して管理することができるので、ネットワーク上を伝送する音声データ量を全体として効率的なものに設定することができるという有利な効果が得られる。
【図面の簡単な説明】
【図１】本発明の実施の形態１による構内交換機を示すブロック図
【図２】モード設定テーブルを示すテーブル図
【図３】端末優先度設定テーブルを示すテーブル図
【図４】データ・音声処理部を示すブロック図
【図５】本発明の実施の形態２による構内交換機サーバと図１のＩＰ−ＰＢＸとを有する構内交換機システムを示すブロック図
【図６】ＩＰ−ＰＢＸ優先度設定テーブルを示すテーブル図
【図７】従来のＩＰ−ＰＢＸを示すブロック図
【符号の説明】
１０１、１０１Ａ、１０１Ｂ　ＩＰ−ＰＢＸ
１０２、１０２ａ、１０２ｂ、１０２ｘ、１−１、１−２、１−３、２−１、２−２、２−３　端末
１０３　端末インタフェース部（端末Ｉ／Ｆ部）
１０４　データ・音声処理部
１０５　ネットワークインタフェース部（ネットワークＩ／Ｆ部）
１０６　遅延観測部
１０７　タイミング生成部
１０８　記憶部
１０９　制御部
１１０　内部バス
４０１　圧縮セレクタ部
４０２　音声パケット処理部
４０３　音声圧縮部
４０４　トーン検出部
４０５　エコーキャンセル部
４０６　ゲインコントロール部
４０７　ＦＡＸ処理部
４０８　音声・データ送受信インタフェース部（音声・データ送受信Ｉ／Ｆ部）
５０１　ネットワーク
５０２　構内交換機サーバ（ＩＰ−ＰＢＸサーバ）
５０３　遅延観測部
５０４　記憶部
５０５　制御部
【図１】
2004007317.tif 000003
【図２】
2004007317.tif 000004
【図３】
2004007317.tif 000005
【図４】
2004007317.tif 000006
【図５】
2004007317.tif 000007
【図６】
2004007317.tif 000008
【図７】
2004007317.tif 000009